(57)【要約】【課題】  アイリスモード切替スイッチの誤操作を防止するとともに，アイリスモードの切替の必要が生じた場合に即座にアイリスモードの切替が可能なレンズ装置を提供する。【解決手段】  本発明に係るレンズ装置は，マニュアルアイリスモードとオートアイリスモードのいずれか一方を選択するアイリスモード切替手段５２４と；アイリスモード切替手段５２４に着脱可能に取り付けられ，アイリスモード切替の操作に応じてアイリスモード切替手段５２４と一体的に摺動可能なキャップ５４と；を備え，アイリスモード切替手段５２４がオートアイリスモードを選択した状態にある場合に，キャップ５４をアイリスモード切替手段５２４から取り外し，取り付け方向を反転させてアイリスモード切替手段５２４に取り付けることで，キャップ５４によりアイリスモード切替手段５２４の移動が規制されることを特徴とする。【選択図】    図３
2007114508.tif 000002
【特許請求の範囲】
【請求項１】
光学系を通過する光量を調整するアイリス調整手段を手動で操作するマニュアルアイリスモードと，前記アイリス調整手段を自動制御するオートアイリスモードのいずれか一方を選択するアイリスモード切替手段と；
前記アイリスモード切替手段に着脱可能に取り付けられ，アイリスモード切替の操作に応じて前記アイリスモード切替手段と一体的に摺動可能なキャップと；
を備え，
前記アイリスモード切替手段が前記オートアイリスモードを選択した状態にある場合に，前記キャップを前記アイリスモード切替手段から取り外し，取り付け方向を反転させて前記アイリスモード切替手段に取り付けることで，前記キャップにより前記アイリスモード切替手段の移動が規制されることを特徴とする，レンズ装置。
【請求項２】
底部に前記アイリスモード切替手段が配設され，前記キャップの摺動を案内する案内溝をさらに備え，
前記キャップは，前記キャップの摺動方向の長さが前記案内溝よりも短い本体部と，前記本体部の下面に突設されて前記アイリスモード切替手段を把持する把持部とを有し，
前記本体部は，前記把持部の一側に位置する長舌部と，他側に位置する短舌部とを有し，
前記把持部が前記アイリスモード切替手段を把持することにより，前記アイリスモード切替手段と前記キャップとが係合し，
前記アイリスモード切替手段が前記オートアイリスモードを選択した状態にある場合に，前記キャップを前記アイリスモード切替手段から取り外し，前記キャップの摺動方向前後を逆にして前記アイリスモード切替手段に取り付けたときに前記長舌部が前記案内溝の一側の端部に当接することにより，前記アイリスモード切替手段の摺動方向の移動が規制されることを特徴とする，請求項１に記載のレンズ装置。
【発明の詳細な説明】
【技術分野】
【０００１】
本発明は，レンズ装置に関し，特に，ＥＮＧカメラ等の放送用テレビカメラに使用されてアイリス調整を自動または手動で行うことが可能なレンズ装置に関する。
【背景技術】
【０００２】
放送用カメラ等に用いられるＥＮＧレンズは，レンズ鏡胴のフォーカスリング，ズームリング，アイリスリングを手動で操作するか，あるいは，レンズ鏡胴側部に取り付けられたドライブユニットと呼ばれるレンズ駆動装置内に配設されたモータの駆動力によって上記フォーカスリング，ズームリング，アイリスリングを駆動して，ズーム，フォーカス，アイリス（絞り）の調整を行うことができるように構成されている。
【０００３】
このようなＥＮＧレンズのアイリスの調整は，カメラマンが直接レンズ鏡胴のアイリスリングを手動により操作するマニュアルアイリスモードで行う場合と，カメラやコントロールユニット等からの信号に基づいて，ドライブユニット内のモータで自動制御するオートアイリスモードで行う場合とがあり，カメラマンが撮影状況に応じて上記２つのモードを切り替えて撮影している。このアイリスモードの切替は，通常，ドライブユニットの外装面に設けられたスライドスイッチを覆うスイッチキャップを操作して行う。
【０００４】
ところで，屋外のロケではなく，スタジオでの撮影などでは，カメラマンはフォーカスとズームに専念し，アイリスは，カメラマンとは別の編集担当者がコントロールユニットを用いて遠隔制御することが一般的である。このような場合，カメラマンは手動でアイリス調整はせずに，編集担当者が遠隔制御できるようにアイリスのモード切替をオートアイリスモードを選択して撮影することが多い。
【０００５】
ところが，カメラマンが撮影中にこのアイリスモード切替スイッチを誤って操作してマニュアルアイリスモードに切り替えてしまい，編集担当者が意図するアイリス値に制御できないという問題を生じる場合がある。そのため，カメラマンがマニュアルアイリスモードへの誤った切替操作をしてしまわないように，アイリスモード切替スイッチをオートアイリスモード側にして，アイリスモード切替を行うスライドスイッチのキャップを取り外し，切替操作ができない状態にする。この場合，ドライブユニットの内部にゴミが入らないようにスライドスイッチの上からガムテープ等を貼り付けて固定したりする。
【０００６】
しかし，上記のような方法では，体裁が悪く，また，アイリスを手動で操作する必要が生じた場合に，ガムテープを剥がしてスイッチキャップを取り付けるため，テープの粘着部分がスイッチに残ることがあり，手先のべとつきなどによりその後のスイッチ操作に悪影響が出るという問題があった。また，キャップを外したままであるとドライブユニットの内部にゴミが入る可能性もある。
【０００７】
このような問題に対して，アイリスモードの切替が必要なときと不要なときとで，複数のキャップを使い分けるレンズ装置がある（例えば，特許文献１を参照）。特許文献１に記載のレンズ装置では，アイリスモードの切替操作が可能なキャップと切替操作が不可能なキャップとを付け替えることにより，アイリスモード切替スイッチの誤操作を防止するとともに，快適なレンズ操作をできるようにしている。
【０００８】
【特許文献１】特開２００５−９１５９２号公報
【発明の開示】
【発明が解決しようとする課題】
【０００９】
しかしながら，特許文献１に記載のレンズ装置では，複数のキャップが必要となり部品数が増えることで，コストアップにつながるとともに，使用していない方のキャップを紛失する可能性があるため，アイリスモード切替の必要が生じた場合に，即座にアイリスモードを切り替えることができない場合がある，という問題があった。
【００１０】
そこで，本発明は，このような問題に鑑みてなされたもので，その目的は，アイリスモード切替スイッチの誤操作を防止するとともに，アイリスモードの切替の必要が生じた場合に即座にアイリスモードの切替が可能な，新規かつ改良されたレンズ装置を提供することにある。
【課題を解決するための手段】
【００１１】
上記課題を解決するために，本発明のある観点によれば，光学系を通過する光量を調整するアイリス調整手段を手動で操作するマニュアルアイリスモードと，アイリス調整手段を自動制御するオートアイリスモードのいずれか一方を選択するアイリスモード切替手段と；アイリスモード切替手段に着脱可能に取り付けられ，アイリスモード切替の操作に応じてアイリスモード切替手段と一体的に摺動可能なキャップと；を備えるレンズ装置が提供される。本発明に係るレンズ装置は，上記アイリスモード切替手段がオートアイリスモードを選択した状態にある場合に，キャップをアイリスモード切替手段から取り外し，取り付け方向を反転させてアイリスモード切替手段に取り付けることで，キャップによりアイリスモード切替手段の移動が規制されることを特徴とする。
【００１２】
ここで，上記レンズ装置は，底部にアイリスモード切替手段が配設され，キャップの摺動を案内する案内溝をさらに備えていてもよい。また，上記キャップは，キャップの摺動方向の長さが上記案内溝よりも短い本体部と，本体部の下面に突設されてアイリスモード切替手段を把持する把持部とを有するように構成してもよい。さらに，この場合に，上記本体部は，把持部の一側に位置する長舌部と，他側に位置する短舌部とを有し，把持部がアイリスモード切替手段を把持することにより，アイリスモード切替手段とキャップとが係合するようにしてもよい。
【００１３】
また，アイリスモード切替手段がオートアイリスモードを選択した状態にある場合に，キャップをアイリスモード切替手段から取り外し，キャップの摺動方向前後を逆にしてアイリスモード切替手段に取り付けたときに長舌部が案内溝の一側の端部に当接することにより，アイリスモード切替手段の摺動方向の移動が規制されるように構成してもよい。
【００１４】
上記本発明に係るレンズ装置は，かかる構成を有することにより，アイリスをオートアイリスモードに固定する場合には，同一のキャップの摺動方向前後を逆にして再びアイリスモード切替手段に取り付けることにより，長舌部が案内溝の一側の端部に当接することし，アイリスモード切替手段の摺動方向への移動が規制される。したがって，カメラマンの誤操作（マニュアルアイリスモードへの切替）を防止することができる。
【００１５】
また，アイリスをオートアイリスモードに固定する場合には，同一のキャップを取り外した後に，その場で取り付け方向を変えて取り付けるため，キャップを紛失することもなく，部品数が増えることもない。したがって，アイリスモード切替の必要が生じた場合に即座に切り替えることが可能となる。
【発明の効果】
【００１６】
本発明によれば，キャップの位置や形状等を工夫することにより，アイリスモード切替スイッチの誤操作を防止するとともに，アイリスモードの切替の必要が生じた場合に即座にアイリスモードの切替が可能なレンズ装置を提供することができる。
【発明を実施するための最良の形態】
【００１７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
（本発明の一実施形態に係るレンズ装置１０の構成）
まず，図１に基づいて，本発明の一実施形態に係るレンズ装置１０の外観構成について説明する。なお，図１は，本実施形態に係るレンズ装置１０の外観構成を示す平面図である。
【００１９】
図１に示すように，本実施形態に係るレンズ装置１０は，例えば，ＥＮＧカメラ等の放送用テレビカメラに用いられるＥＮＧレンズであり，ドライブユニット２０が略円筒状のレンズ鏡胴３０の側部に装着された構造となっている。以下，各部の構成について詳細に説明する。
【００２０】
レンズ鏡胴３０の外周部には，前方（被写体側）から順に，フォーカスリング３２，ズームリング３４およびアイリスリング３６が設けられ，レンズ鏡胴３０の後端部にはエクステンダー装置３８が設けられている。また，レンズ鏡胴３０の内部には，光軸方向に沿って前方から順に，固定フォーカスレンズ，移動フォーカスレンズ，ズームレンズ，アイリス（絞り）及びリレーレンズ（いずれも図示せず）等が設けられ，その後方に，エクステンダーレンズ（図示せず）が配置される。かかる構成において，フォーカスリング３２を回動させることにより，移動フォーカスレンズが光軸に沿って前後に移動してフォーカス調整が行われる。また，ズームリング３４を回動させることにより，ズームレンズが光軸に沿って前後に移動してズーム調整が行われる。また，アイリスリング３６を回動させることにより，アイリスの絞り径が調整されるようになっている。
【００２１】
レンズ鏡胴３０の側部には，上述したように，ドライブユニット２０が装着される。ドライブユニット２０は，その内部に設けられたモータにより，フォーカスリング３２，ズームリング３４およびアイリスリング３６等を駆動する。
【００２２】
ドライブユニット２０はケース４０を有し，このケース４０はビス４２，４２を解してレンズ鏡胴３０の側部に装着されている。ケース４０の内部には，フォーカス駆動用モータ（図示せず）が配設され，このフォーカス駆動用モータは，駆動ギヤ（図示せず）を介してフォーカスリング３２と噛み合い，フォーカスリング３２を回動させる。また，ケース４０の内部には，ズーム駆動用モータ（図示せず）が配設され，このズーム駆動用モータは，駆動ギヤ（図示せず）を介してズームリング３４と噛み合い，ズームリング３４を回動させる。さらに，ケース４０の内部には，アイリス駆動用モータ（図示せず）が配設され，このアイリス駆動用モータは，駆動ギヤ（図示せず）を介してアイリスリング３６と噛み合い，アイリスリング３６を回動させる。
【００２３】
ケース４０の外装面には，ズームシーソーコントロールレバー４４（以下，「シーソーレバー４４」という），アイリスモード切替部５０，アイリスモーメンタリスイッチ４６，アイリスモード指標４８，リターンスイッチ６０，ＶＴＲスイッチ６２およびクイックスイッチ６４等の各種操作部材等が配設されている。このうち，シーソーレバー４４は，中立位置を基準に揺動自在に設置され，シーソーレバー４４をテレ（Ｔ）側またはワイド（Ｗ）側に操作すると，ズームリング３４がテレ側またはワイド側に回動するように構成されている。また，シーソーレバー４４の押し込み量（操作量）によってズームスピードを調整することができ，その押し込み量が大きいほどズームスピードは高速になる。また，ケース４０の後面にはズーム最大スピード調節ツマミ６６が配設されており，このツマミ６６は，シーソーレバー４４を最も深く押し込んだときのズームスピード（ズーム最大スピード）を調節するものである。また，アイリスモード切替部５０は，光学系（図示せず）を通過する光量を調整するアイリスリング３６等のアイリス調整手段を手動で操作するマニュアルアイリスモードと，上記アイリス調整手段を自動制御するオートアイリスモードのいずれか一方を選択するためのものであり，詳細については後述する。
【００２４】
（本発明の一実施形態に係るアイリスモード切替部５０の構成）
次に，図２に基づいて，上述した本実施形態に係るアイリスモード切替部５０の構成について詳細に説明する。なお，図２は，図１で示したアイリスモード切替部５０をＡ−Ａ線で切断した部分断面図であり，（ａ）は，マニュアルアイリスモードが選択されている場合，（ｂ）はオートアイリスモードが選択されている場合を示している。
【００２５】
図２に示すように，アイリスモード切替部５０は，スライドスイッチ５２と，スイッチキャップ５４と，スイッチキャップ５４の摺動を案内する案内溝５６とからなる。
【００２６】
スライドスイッチ５２は，アイリスモードをマニュアルアイリスモードとオートアイリスモードとで切り替えるスイッチであり，ドライブユニット２０のケース４０内に固定したスイッチ本体部５２２と，本実施形態に係るアイリスモード切替手段としてのスイッチ切替部５２４とを有する。スイッチ切替部５２４は，スイッチ本体部５２２上で摺動可能に設けられている。また，スイッチ本体部５２２の下面には，２つの端子５２６，５２６が設けられており，ケース４０内に配設されたスライドスイッチ駆動機構（図示せず）に接続される。また，スイッチ本体部５２２はスイッチ固定部材５２８によりケース４０の内部に固定されている。
【００２７】
スイッチキャップ５４は，キャップ本体部５４２（本実施形態に係る本体部）と，キャップ本体部５４２の下面に突設された把持部５４４とからなる。キャップ本体部５４２は，摺動方向（スライドスイッチ５２のスイッチ切替部５２４が摺動する方向）の長さが案内溝５６よりも短く形成されており，把持部の一側（図２では，把持部５４４の離隔側）に位置する長舌部５４２ａと，他側（図２では，把持部５４４の近傍側）に位置する短舌部５４２ｂとを有する。把持部５４４は，スライドスイッチ５２のスイッチ切替部５２４を把持することにより，スイッチ切替部５２４とスイッチキャップ５４とを係合させる。具体的には，例えば，把持部５４４の内部に形成された係合孔５４４ａにスイッチ切替部５２４を係合させることにより，スイッチキャップ５４がスイッチ切替部５２４に着脱可能に取り付けられる。かかる構成を有することにより，スイッチキャップ５４は，アイリスモード切替の操作に応じて，案内溝５６に沿って，アイリスモード切替部５０のスイッチ切替部５２４と一体的に摺動可能となる。
【００２８】
案内溝５６は，上述したように，スイッチキャップ５４の摺動を案内するように，ケース４０の所定位置に形成された溝である。その摺動方向の長さは，スイッチキャップ５４の本体部５４２よりも長く形成されている。また，案内溝５６の例えば中央付近に，凹部５６ａが形成されており，凹部５６ａの底部には，スイッチ切替部５２４が配設されている。したがって，スイッチ切替部５２４およびこれに係合するスイッチキャップ５４の把持部５４４は，凹部５６ａ内で摺動することとなる。
【００２９】
（本発明の一実施形態に係るアイリスモード切替部５０の動作）
次に，図２および図３に基づいて，上述した構成を有する本実施形態に係るアイリスモード切替部５０の動作について説明する。なお，図３（ａ）は，図１で示したアイリスモード切替部５０をＡ−Ａ線で切断した部分断面図であって，オートアイリスモードで固定（ＬＯＣＫ）した状態を示している。また，図３（ｂ）は，図３（ａ）に示したアイリスモード切替部５０の上面図であり，図３（ｃ）は，図３（ｂ）に示したアイリスモード切替部５０の変形例を示す上面図である。また，図２および図３における「Ｍ」，「Ａ」，「ＬＯＣＫ」の文字は，それぞれ，マニュアルアイリスモード，オートアイリスモード，オートアイリスモードで固定された状態を示している。
【００３０】
まず，図２に基づいて，マニュアルアイリスモードとオートアイリスモードの切替操作の際のアイリスモード切替部５０の動作について説明する。
【００３１】
図２（ａ）は，マニュアルモードを選択している状態を示している。図２（ａ）では，スイッチ切替部５２４は，例えば図の左側に位置している。このとき，本実施形態では，キャップ本体部５４２の短舌部５４２ｂの端部と案内溝５６の端部とが当接し，かつ，把持部５４４の側面と凹部５６ａの側面が当接している。ただし，必ずしもこれらが共に当接している必要はなく，スライドスイッチがこれ以上左（Ｍ側）に移動しないように規制されるような構造であればよい。
【００３２】
この状態から，スイッチキャップ５４を案内溝５６に沿って右側に摺動させると，スイッチ切替部５２４は，スイッチキャップ５４と一体的に右側に摺動し，図２（ｂ）に示すように，スイッチ切替部５４がオートアイリスモードに切り替わる。このとき，本実施形態では，キャップ本体部５４２の長舌部５４２ａの端部と案内溝５６の端部とが当接し，かつ，把持部５４４の側面と凹部５６ａの側面が当接している。ただし，必ずしもこれらが共に当接している必要はなく，スライドスイッチがこれ以上右（Ａ側）に移動しないように規制されるような構造であればよい。
【００３３】
次に，図３に基づいて，オートアイリスモードで固定（ＬＯＣＫ）する際のアイリスモード切替部５０の動作等について説明する。
【００３４】
図２（ｂ）に示すように，アイリスモード切替部５０のスイッチ切替部５２４がオートアイリスモードを選択した状態にある場合に，スイッチキャップ５４をスイッチ切替部５２４から取り外す。そして，スイッチキャップ５４の摺動方向前後を逆にして，言い換えると，キャップ本体部５４２の長舌部５４２ａと短舌部５４２ｂの向きを反転させて，再びスイッチキャップ５４をスイッチ切替部５２４に取り付ける。その結果，図３（ａ）に示すように，長舌部５４２ａの端部が案内溝５６のＭ側の端部に当接するので，スイッチキャップ５４およびこれに係合するスイッチ切替部５２４は固定され，スイッチ切替部５２４の左側（Ｍ側）への摺動が規制される。すなわち，アイリスモードはオートアイリスモードに固定（ＬＯＣＫ）されることとなる。
【００３５】
また，図３（ｂ）に示すように，アイリスモードがオートアイリスモードに固定（ＬＯＣＫ）した状態が判別できるように，スイッチキャップ５４の側部には「ＬＯＣＫ」の表記がある。この「ＬＯＣＫ」の表記は，図３（ｃ）に示すように，案内溝５６のスイッチキャップ５４が摺動する面上にあって，アイリスモードがオートアイリスモードに固定（ＬＯＣＫ）された状態でのみ現れるようにしてもよい。このように，「ＬＯＣＫ」の表記を付すことにより，１台のカメラを数人で使い回しする場合においても，アイリスのモード切替が可能か，あるいはオートアイリスモードに固定されているかが，容易に判別することができる。
【００３６】
以上説明したような着脱可能，かつ特定の構造を有するスイッチキャップ５４を１つのレンズに対し１つだけ用意し，撮影用途に応じて取り付け方向を変えて取り付けることで，アイリスをオートアイリスモードに固定，あるいはマニュアルアイリスモードとオートアイリスモードとの間で切替可能にすることができる。
【００３７】
すなわち，上述したように，アイリスをオートアイリスモードに固定する場合には，同一のスイッチキャップ５４の摺動方向前後を逆にして再びスイッチ切替部５２４に取り付けることにより，長舌部５４２ａの端部が案内溝５６のＭ側の端部に当接し，これによりスイッチ切替部５２４のＭ側への摺動が規制され，カメラマンの誤操作（マニュアルアイリスモードへの切替）を防止することができる。
【００３８】
また，アイリスをオートアイリスモードに固定する場合には，同一のスイッチキャップ５４を取り外した後に，その場で取り付け方向を変えて取り付けるため，スイッチキャップ５４を紛失することもなく，部品数が増えることもない。したがって，アイリスモード切替の必要が生じた場合に即座に切り替えることが可能となる。
【００３９】
さらに，ガムテープ等を使用することも無いので，体裁も良く，また，アイリスを手動で操作する必要が生じた場合に，手先のべとつきなどによりその後のスイッチ操作に悪影響が出ることもない。また，スイッチキャップ５４は一旦取り外した後に直ぐに再び取り付けられるので，ドライブユニット２０の内部にゴミが入る可能性もない。
【００４０】
なお，このように１種類のスイッチキャップを取り付け方向を変えて取り付けることにより誤操作を防止すると，構造が単純で安価に製造することができる。また，構造が複雑でないために壊れにくいという長所があり，堅牢性を重視するテレビレンズには好適なものである。
【００４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４２】
例えば，上述した実施形態では，キャップ本体部５４２が長舌部５４２ａと短舌部５４２ｂを有する形状について説明したが，キャップ本体部の形状は上述した例に限られない。すなわち，キャップ本体部の形状は，キャップ本体部の取り付け方向を反転させて取り付けることにより，アイリスモード切替手段（例えば，スイッチ切替部５２４）の摺動方向への移動が規制されるような形状であれば，いかなる形状であっても良い。
【産業上の利用可能性】
【００４３】
本発明は，レンズ装置に適用可能であり，特に，ＥＮＧカメラ等の放送用テレビカメラに使用されてアイリス調整を自動または手動で行うことが可能なレンズ装置に適用可能である。
【図面の簡単な説明】
【００４４】
【図１】本発明の一実施形態に係るレンズ装置の外観構成を示す平面図である。
【図２】図１で示したアイリスモード切替部をＡ−Ａ線で切断した部分断面図であり，（ａ）は，マニュアルアイリスモードが選択されている場合，（ｂ）はオートアイリスモードが選択されている場合を示している。
【図３】（ａ）は，図１で示したアイリスモード切替部をＡ−Ａ線で切断した部分断面図であって，オートアイリスモードで固定（ＬＯＣＫ）した状態を示しており，（ｂ）は，図３（ａ）に示したアイリスモード切替部の上面図であり，（ｃ）は，図３（ｂ）に示したアイリスモード切替部の変形例を示す上面図である。
【符号の説明】
【００４５】
１０      レンズ装置
２０      ドライブユニット
３０      レンズ鏡胴
３６      アイリスリング
４０      ケース
４４      ズームシーソーコントロールレバー
４６      アイリスモーメンタリスイッチ
４８      アイリスモード指標
５０      スライドスイッチ
５２      スイッチキャップ
７２      案内溝
５０４      アイリスモード切替スイッチ
５２２      本体部
５２２ａ      長舌部
５２２ｂ      短舌部
５２４      把持部
【図１】
2007114508.tif 000003
【図２】
2007114508.tif 000004
【図３】
2007114508.tif 000005